(57)【特許請求の範囲】
【請求項１】
蒸気タービンケーシングセグメント（２２）であって、
水平ジョイント面（２４）と、
前記水平ジョイント面（２４）における第１の開口（３８）と、該第１の開口（３８）に実質的に相対する第２の開口（４０）とを有するポケット（３６）であって、支持部材（５２）を実質的に円周方向に保持するように構成されたポケット（３６）と、
前記蒸気タービンケーシングセグメント（２２）の半径方向外向き面（４４）からアクセスすることができて前記ポケット（３６）の第２の開口（４０）に流体接続している経路（４６）と、
前記半径方向外向き面（４４）からアクセスすることができて前記ポケット（３６）の第２の開口（４０）に流体接続しているポート（４２）と、
前記半径方向外向き面（４４）で前記経路（４６）を覆うように構成された取り外し可能に固定されるアクセスプレート（４８）であって、前記ポート（４２）及び取り外し可能に固定されるアクセスプレート（４８）が共に前記半径方向外向き面（４４）に沿って前記水平ジョイント面（２４）よりも下側に位置している取り外し可能に固定されるアクセスプレート（４８）と、
前記経路（４６）内の調整部材（５０）であって、前記ポケット（３６）に少なくとも部分的に延びる調整部材（５０）と
を備える蒸気タービンケーシングセグメント（２２）。
【請求項２】
前記経路（４６）内に調整部材（５０）を保持するように構成された保持部材を更に備える、請求項１記載の蒸気タービンケーシングセグメント（２２）。
【請求項３】
蒸気タービン装置（１０）であって、
ダイアフラムセグメント（１４）と、
前記ダイアフラムセグメント（１４）を少なくとも部分的に収容するケーシングセグメント（２２）であって、水平ジョイント面（２４）と、前記水平ジョイント面（２４）における第１の開口（３８）と、該第１の開口（３８）に実質的に相対する第２の開口（４０）とを有するポケット（３６）と、前記ポケット（３６）内に配置された支持部材（５２）と、前記蒸気タービンケーシングセグメント（２２）の半径方向外向き面（４４）からアクセスでき且つ前記ポケット（３６）の第２の開口（４０）に流体接続される経路（４６）とを有していて、前記ポケット（３６）が前記支持部材（５２）を実質的に円周方向に保持するように構成されている、ケーシングセグメント（２２）と、
前記ケーシングセグメント（２２）を前記ダイアフラムセグメント（１４）に少なくとも部分的に結合し且つ前記支持部材（５２）に接触する支持バー（３４）と、
前記経路（４６）内にあって前記支持部材（５２）に接触し且つ前記支持部材（５２）を介して前記支持バー（３４）の移動を作動させるように構成された調整部材（５０）と
を備える、蒸気タービン装置（１０）。
【請求項４】
前記調整部材（５０）が、実質的に垂直方向に延びるボルトを含む、請求項３記載の蒸気タービン装置（１０）。
【請求項５】
前記経路（４６）内に調整部材（５０）を保持するように構成された保持部材をさらに備える、請求項３又は請求項４記載の蒸気タービン装置（１０）。
【請求項６】
前記保持部材が、保持プレート、タブ又はワイヤの少なくとも１つを含む、請求項５記載の蒸気タービン装置（１０）。
【請求項７】
ダイアフラムリングと、
上側ケーシングセグメント（２０）と、
ケーシング水平ジョイント面（２４）において前記上側ケーシングセグメント（２０）に結合される下側ケーシングセグメント（２２）と
を備える蒸気タービンシステム（３００）であって、前記上側ケーシングセグメント（２０）及び下側ケーシングセグメント（２２）が前記ダイアフラムリングを取り囲んでおり、前記下側ケーシングセグメント（２２）が、
前記ケーシング水平ジョイント面（２４）において第１の開口（３８）と、該第１の開口（３８）に実質的に相対する第２の開口（４０）とを有するポケット（３６）と、
前記ポケット（３６）内に配置された支持部材（５２）と、
前記蒸気タービンケーシングセグメント（２２）の半径方向外向き面（４４）からアクセスでき且つ前記ポケット（３６）の第２の開口（４０）に流体接続される経路（４６）と、
前記ケーシングセグメントをダイアフラムセグメントに少なくとも部分的に結合し且つ支持部材（５２）に接触する支持バー（３４）と
を有しており、前記ポケット（３６）が前記支持部材（５２）を実質的に円周方向に保持するように構成されている、蒸気タービンシステム（３００）。
【請求項８】
前記上側ケーシングセグメント（２０）と下側ケーシングセグメント（２２）とが少なくとも１つのボルト（１８）により接合されている、請求項７記載の蒸気タービンシステム（３００）。
【請求項９】
前記ダイアフラムリングが、ダイアフラム水平ジョイント面（１６）で下側ダイアフラムセグメント（１４）に結合した上側ダイアフラムセグメント（１２）を含んでいる、請求項７記載の蒸気タービンシステム（３００）。
【請求項１０】
前記経路（４６）内にあって前記支持部材（５２）に接触する調整部材（５０）をさらに備えていて、前記調整部材（５０）が、蒸気タービンケーシングセグメント（２２）の半径方向外向き面（４４）からアクセスすることができて、前記ケーシング水平ジョイント面（２４）の位置を前記ダイアフラム水平ジョイント面（１６）の位置に対して調整することができるように構成されている、請求項９記載の蒸気タービンシステム（３００）。
【発明の詳細な説明】
【技術分野】
【０００１】
本明細書で開示される主題は、蒸気タービンノズル組立体、又はダイアフラム段に関する。具体的には、本明細書で開示される主題は、蒸気タービンノズル組立体用の調整及び測定システムに関する。
【背景技術】
【０００２】
蒸気タービンは、作動流体の流れを回転ロータに接続されたタービンバケットに配向する固定ノズル組立体を含む。ノズル構造（複数の「ノズル」すなわち「翼形部」を含む）は、「ダイアフラム」又は「ノズル組立体段」と呼ばれることもある。蒸気タービンダイアフラムは、２つの半部分を含み、これらはロータの周りで組み付けられ、これらの２つの半部分間に水平ジョイントを生成する。各タービンダイアフラム段は、それぞれの水平ジョイントにてダイアフラムの各側部上で支持バー、支持ラグ、又は支持スクリューによって垂直方向に支持される。ダイアフラムの水平ジョイントはまた、蒸気タービンダイアフラムを囲むタービンケーシングの水平ジョイントに相当する。
【０００３】
従来、ノズル組立体段は、有線又はレーザ測定を用いて所定位置にロータと整列されるか、或いはロータ無しで整列される。１つの従来の手法では、ノズル組立体段の下側半部分（又は、ノズルの下側半部分）及びロータは、ズル組立体段の上側半部分（又はノズルの上側半部分）及び／又はタービンケーシングの上側半部分無しで所定位置に整列される。この手法では、測定は、タービンの底部及び各それぞれの側部にて下側半部分とロータとの間で実施される。第２の従来の手法では、ノズル上側半部分とケーシング上側半部分（並びにそれぞれの下側半部分）がロータ無しで所定位置に配置される。この手法では、測定は、軸受中心線位置とノズル組立体中心線との間で実施される。何れの手法においても、ケーシング、ロータ、及び／又はノズル組立体は、ロータに対してこれらの部品を水平及び垂直方向で整列させるために取り外す必要がある。これらの調整は、コストがかかり、時間を要する場合がある。
【先行技術文献】
【特許文献】
【０００４】
【特許文献１】米国特許第７３２９０９８号明細書
【発明の概要】
【発明が解決しようとする課題】
【０００５】
蒸気タービンノズル組立体用の遠隔調整及び測定システムが開示される。一実施形態では、水平ジョイント面と、該水平ジョイント面において第１の開口と該第１の開口に実質的に相対する第２の開口とを有するポケットと、蒸気タービンケーシングセグメントの半径方向外向き面からアクセスすることができ且つポケットの第２の開口に流体接続された経路と、を含む蒸気タービンケーシングセグメントが開示される。
【０００６】
本発明の第１の態様は、水平ジョイント面と、該水平ジョイント面において第１の開口と該第１の開口に実質的に相対する第２の開口とを有するポケットと、蒸気タービンケーシングセグメントの半径方向外向き面からアクセスすることができ且つポケットの第２の開口に流体接続された経路と、を含む蒸気タービンケーシングセグメントを含む。
【０００７】
本発明の第２の態様は、ダイアフラムセグメントと、該ダイアフラムセグメントを少なくとも部分的に収容するケーシングセグメントと、を備える蒸気タービン装置を含み、ケーシングセグメントが、水平ジョイント面と、水平ジョイント面において第１の開口と、該第１の開口に実質的に相対する第２の開口とを有するポケットと、蒸気タービンケーシングセグメントの半径方向外向き面からアクセスでき且つポケットの第２の開口に流体接続される経路と、を有し、蒸気タービン装置が更に、ポケット内に位置付けられた支持部材と、ケーシングセグメントをダイアフラムセグメントに少なくとも部分的に結合し且つ支持部材に接触する支持バーと、経路内にあって支持部材に接触し且つ支持部材を介して支持バーの移動を作動させるよう構成された調整部材と、を備える。
【０００８】
本発明の第３の態様は、上側ケーシングセグメントと、ケーシング水平ジョイント面において上側ケーシングセグメントに結合される下側ケーシングセグメントと、を備え、下側ケーシングセグメントが、水平ジョイント面において第１の開口と、該第１の開口に実質的に相対する第２の開口とを有するポケットと、蒸気タービンケーシングセグメントの半径方向外向き面からアクセスでき且つポケットの第２の開口に流体接続される経路と、を含む、蒸気タービンシステムを含む。
【０００９】
本発明のこれら及び他の特徴は、本発明の種々の実施形態を示した添付図面を参照しながら、本発明の種々の態様に関する以下の詳細な説明から容易に理解されるであろう。
【図面の簡単な説明】
【００１０】
【図１】本発明の実施形態による、蒸気タービン装置の部分端面図。
【図２】本発明の別の実施形態による、蒸気タービン装置の部分端面図。
【図３】図２の蒸気タービン装置の拡大部分端面図。
【図４】本発明の実施形態による、蒸気タービン装置の一部の部分切り欠き３次元斜視図。
【図５】本発明の実施形態による、蒸気タービン装置の一部の３次元斜視図。
【図６】本発明の実施形態による、蒸気タービンシステムの部分断面図。
【発明を実施するための形態】
【００１１】
本発明の図面は縮尺通りではない点に留意されたい。当該図面は、本発明の典型的な態様のみを描くことを意図しており、従って、本発明の範囲を限定するものとみなすべきではない。図面では、同じ参照符号は、複数の図面にわたり同じ要素を示している。
【００１２】
本発明の態様は、蒸気タービンノズル組立体用の調整及び測定システムを提供する。幾つかの実施形態では、本発明の態様は、蒸気タービンノズル組立体用の遠隔スクリュー調整及び測定システムを提供する。
【００１３】
従来の手法とは対照的に、本発明の態様は、蒸気タービンノズル組立体、ケーシング、及びロータを整列させるのに関わる時間、コスト、及び労力を低減する蒸気タービン用の調整及び測定システムを提供する。一実施形態では、本発明の態様は、調整及び測定システムを含む蒸気タービン装置を提供する。この蒸気タービン装置は、ダイアフラムセグメントと、該ダイアフラムセグメントを少なくとも部分的に収容するケーシングセグメントと、を含み、該ケーシングセグメントが、水平ジョイント面と、該水平ジョイント面に位置する第１の開口及び該第１の開口に実質的に相対する第２の開口を有するポケットと、蒸気タービンケーシングセグメントの半径方向外向き面からアクセスでき且つポケットの第２の開口に流体接続される経路と、を有し、蒸気タービン装置が更に、ポケット内に位置付けられた支持部材と、ケーシングセグメントをダイアフラムセグメントに少なくとも部分的に結合し且つ支持部材に接触する支持バーと、経路内にあって支持部材に接触し且つ支持部材を介して支持バーの移動を作動させるよう構成された調整部材と、を含むことができる。
【００１４】
図１を参照すると、本発明の実施形態による蒸気タービン装置１０の部分端面図が示されている。一実施形態では、蒸気タービン装置１０は、ダイアフラム水平ジョイント面１６（ダイアフラムセグメント間の境界面）にて接合される、上側ダイアフラムセグメント１２及び下側ダイアフラムセグメント１４を含むことができる。一実施形態では、上側ダイアフラムセグメント１２及び下側ダイアフラムセグメント１４は、少なくとも１つのボルト１８により接合することができる。また、ダイアフラムセグメント（１２、１４）を少なくとも部分的に収容するケーシングが図示されており、ケーシング水平ジョイント面２４（ケーシングセグメントとの間の境界面）にて接合される、上側ケーシングセグメント２０及び下側ケーシングセグメント２２を含む。一実施形態では、上側ケーシングセグメント２０及び下側ケーシングセグメント２２は各々、支持アーム２６、２８をそれぞれ含むことができる。図示のように、上側ケーシングセグメント２０は、当該技術分野で知られるように、支持バー３４の張り出し部分３２を受けるように構成されたスロット３０を含むことができる。下側ケーシングセグメント２２は、ケーシング水平ジョイント面２４（第１の開口３８はこの平面図では隠れている）において第１の開口３８を有するポケット３６を含むことができる。ポケット３６は更に、第１の開口３８に実質的に相対する第２の開口４０を含むことができる。
【００１５】
下側ケーシングセグメント２２は更に、該下側ケーシングセグメント２２の半径方向外向き面４４からアクセスできるポート４２を含めて図示される。一実施形態では、ポート４２は、例えば、チャンネル又は経路４６を介して（及び下側ケーシングセグメント２２の開放キャビティを通って）第２の開口４０に流体接続される。一実施形態では、ポート４２（及びその結果として、経路４６）は、アクセスプレート４８又は他の取り外し可能な固定カバーによって半径方向外向き面４４の外部の領域から流体的に隔離することができる。実施形態では、経路４６にアクセスし、例えば調整部材５０（本明細書で詳細に説明される）を調整するためにオペレータ（例えば、人間のオペレータ）がアクセスプレート４８を取り外すことができる点は理解される。
【００１６】
また図には、ポケット３６内に位置付けられた支持部材５２が蒸気タービン装置１０に含まれている。一実施形態では、支持部材５２は、支持バー３４に接触するよう構成することができ、張り出し部分３２にて支持バー３４を垂直方向に支持するように構成することができる。一実施形態では、支持部材５２は、例えばスチールを含む金属から形成される実質的にブロック形の部材を含むことができる。支持部材５２は、場合によっては、ボルト５４又は他の取付機構を介して下側ケーシングセグメント２２（例えば、支持アーム２８）に取り外し可能に固定することができる。例えば、場合によっては、支持部材５２は、ピン、スクリュー、又はダブテール接続（ここでは下側ケーシングセグメント２２内に相補的なダブテール接続が形成される）を介して下側ケーシングセグメント２２に取り外し可能に固定することができる。一実施形態では、下側ケーシングセグメント２２は、ポケット３６内に支持部材５２を保持するためボルト５４又は他の取付機構を受けるように構成されたアパーチャ（例えば、実質的に半径方向外向きに延びることができるネジ付きアパーチャ）を含むことができる。図示され本明細書で説明される別の実施形態では、ポケットは、支持部材が下側ケーシングセグメントにボルト締めされないように支持部材を実質的に円周方向に保持することができる。
【００１７】
また、図１に図示されるのは、下側ケーシングセグメント２２内に位置付けられ、且つポケット３６の第２の開口４０内に少なくとも部分的に位置付けられる調整部材５０である。下側ケーシングセグメント２２の一部が経路４６に開いており、下側ケーシングセグメント２２は、経路４６を介して調整部材５０にアクセスできるキャビティを含むようになる点は理解される。調整部材５０は、支持部材５２との接触（及び／又は取り付け）を介して支持バー３４の移動を作動させるよう構成することができる。すなわち、調整部材５０は、支持部材５２の位置を調整（例えば、調整部材５０が支持部材５２と接触している、又はこれに取り外し可能に取り付けられている間、該調整部材５０を上昇又は降下させることによって）するよう構成することができる。一実施形態では、調整部材５０は、Ｚ軸に沿って所望の位置に調整部材５０を固定するよう構成された保持プレート、タブ、ワイヤ、その他などの保持部材（この視点からは見えない）により保持することができる。一実施形態では、支持部材５２は、調整部材５０の一部を受けるように構成されたアパーチャを含むことができ、ここでアパーチャは、支持部材５２に対するある位置において調整部材５０を保持するための端ぐり部を含むことができる。
【００１８】
本発明の態様は、ダイアフラム水平ジョイント面１６に対するケーシング水平ジョイント面２４の位置（例えば、Ｚ軸に沿った垂直方向位置）の調整を可能にする点は理解される。より具体的には、本発明の態様は、ケーシングの半径方向外向き壁４４（例えば、下側ケーシングセグメント２２）の外部の位置からダイアフラム水平ジョイント面１６に対するケーシング水平ジョイント面２４の位置の調整を可能にする。この調整は、それぞれの水平ジョイント面（ダイアフラム水平ジョイント面１６及びケーシング水平ジョイント面２４）を整列させるために実施することができる。ケーシング及びダイアフラム水平ジョイント面の整列の従来の手法とは対照的に、実施形態に従って図示された蒸気タービン装置１０は、ケーシング及びダイアフラムセグメントがそれぞれ共にボルト締めされ、又は他の方法で閉鎖されている場合でも、ケーシング及びダイアフラム水平ジョイント面の整列を可能にする。すなわち、本発明の態様は、従来の蒸気タービン水平ジョイント面整列に伴う時間、労力、及びコストを低減する。本明細書で詳細に説明されるように、本発明の態様はまた、ダイアフラム及びケーシングセグメントそれぞれが接合されながら、蒸気タービンの一部を整列することができる測定システムを可能にする。
【００１９】
図２は、本発明の代替の実施形態による蒸気タービン装置１０の部分端面図を示す。図１及び図２間で同じ符号で表記された要素は実質的に同じ要素を表すことができる点は理解される。これらの要素の説明は、明瞭にするためにここでは省略している。この代替の実施形態では、蒸気タービン装置１１０は、実質的に円周方向のポケット１３６を有する下側ケーシングセグメント１２２（支持アーム１２８を含む）を含むことができる。この場合、実質的に円周方向のポケット１３６は、支持部材１５２を半径方向外向きに保持するよう構成された半径方向保持部分１５４を含むことができる。一実施形態では、実質的に円周方向のポケット１３６（すなわちポケット）は、支持部材１５２を（半径方向軸線ｒに沿って）円周方向に囲み、支持部材１５２がポケット１３６内で円周方向に保持されるようにすることができる。この場合、図１の蒸気タービン１０とは対照的に、保持部材（例えば、保持部材５４）は、ポケット内の支持部材１５２の位置を維持するのに使用しなくてもよい。保持部材５４（図１）を使用しない場合、下側ケーシングセグメント１２２（支持アーム１２８）は、保持部材（図１のような）を受けるためのアパーチャを含まなくてもよい。これは、保持部材を受けるためのアパーチャを形成する際に使用される機械加工の排除を可能にすることができる。加えて、保持部材５４（図１）を使用しない場合、支持部材１５２は、貫通して延びるアパーチャ無しで形成することができ、これは、支持部材５２と比べて支持部材１５２を形成する際の機械加工又は製作コストを低減することができる。一実施形態では、ポケット１３６は、ケーシングセグメント１２２内で機械加工され、保持部１５４を形成することができる。別の実施形態では、保持部５４は、支持部材１５２を保持するために下側ケーシングセグメント１２２に溶接、ろう付け、又は他の方法で接合することができる。本明細書で更に詳細に説明するように、ポケット１３６は、支持部材１５２をケーシング水平ジョイント面２４にて開口３８からポケット１３６に滑動させることを可能にすることができる。図１の下側ケーシングセグメント２２と同様に、下側ケーシングセグメント１２２の一部は、経路４６を介して調整部材５０にアクセスできるようにするキャビティを含む点は理解される。
【００２０】
図３は、図２の蒸気タービン装置１０の拡大部分端面図を示す。図示のように、図１の蒸気タービン装置１０と同様、蒸気タービン装置１１０は、ダイアフラム水平ジョイント面１６に対してケーシング水平ジョイント面２４の調整を可能にするよう構成される。すなわち、蒸気タービン装置１１０は、調整部材５０をＺ軸線に沿って移動させ、支持部材の移動、並びにその結果として支持バー３４（張り出し部３２における接触を介して）の移動を作動させることを可能にする。この場合、支持バー３４が調整されると、同様にダイアフラム水平ジョイント面１６も調整される。経路４６は明瞭にするために省略されている点は理解される。
【００２１】
図４は、下側ケーシングセグメント２２、並びにポケット３６内に位置付けられた支持部材５２の部分切り欠き３次元図を示す。また、ボルト５４（例えば、段付き保持ボルト）又は他の取付機構も図示されている。経路４６及び関連するポート４２は、図を明瞭にするために省略されている点は理解される。加えて、図４には、幾つかの実施形態では、ポケット３６（及び／又は図２から３に関して説明した実施形態ではポケット１３６）内に位置付けることができる保持ブロック２５４が示されている。保持ブロック２５４は、ポケット３６内の調整部材５０の位置（例えば、Ｚ軸線に沿った位置）を保持するのに用いることができる。一実施形態では、保持ブロック２５４は、調整部材５０の垂直方向位置、及びその結果として、ダイアフラム水平ジョイント面１６（図示せず）に対するケーシング水平ジョイント面２４の位置を保持するための端ぐりセクションを含むことができる。一実施形態では、保持ブロック２５４は、支持部材５２と相互作用し（例えば、支持部材５２と接触することによる）、比較的広い断面積の調整ブロック５２と比べて、比較的狭い断面積の調整部材５０（例えば、ボルト）との間の接続装置としての機能を果たすことができる。このような保持ブロック２５４の使用により、支持部材５２、支持バー３４、及びダイアフラムセグメント１２、１４（図示せず）の重量により調整部材５０に加わる応力を低減することができる。
【００２２】
図５は、図２から３の蒸気タービン装置の位置の３次元斜視図を示す。この斜視図により一部の構成要素は見えない点は理解される。更に、経路４６及び関連のポート４２は図を明瞭にするために省略されている点は理解される。しかしながら、図５における半透明の下側ケーシングセグメント１２２を通じて分かるように、軸方向延びるボルトは、図１と同様にしてこの実施形態では省略することができ、支持部材１５２（図２から３に符号付きで示されている）は、保持部１５４を有するポケット１３６により実質的に保持することができるようになる。
【００２３】
図６は、本発明の実施形態による蒸気タービンシステム３００の部分断面図を示す。本明細書の各図で同じ参照符号の要素は実質的に同じ要素を表すことができる点は理解される。更に、経路４６及び関連のポート４２（並びに支持バー３４の詳細）は図を明瞭にするために省略されている点は理解される。図示のように、蒸気タービンシステム３００は、ダイアフラムリングセグメント１２、１４を含むことができる。ダイアフラムリングセグメント１２、１４は、ケーシングセグメント２０、２２（或いは、代替として、他の実施形態を参照して図示され説明されるように、２０及び１２２）それぞれ内に収容され、該ケーシングセグメントは、ケーシング水平ジョイント面２４にて接合される。この図において、ケーシング水平ジョイント面２４及びダイアフラム水平ジョイント面１６は整列されているとみなされており、従って、ダイアフラム水平ジョイント面１６は、図を明瞭にするために省略されている。各ダイアフラムリングセグメント１２、１４は、当該技術分野で知られるように、タービンノズル３７０の半環状列及び内側ウェブ３６０を支持する。ダイアフラムリングセグメント１２、１４は全体として、当該技術分野で知られるように、ロータ３８０を囲む。また、蒸気タービンシステム３００には、ロータ３８０から半径方向外向き面４４に半径方向に延びるアパーチャ３９０（複数が図示されている）を含めて図示されている。アパーチャ３９０は、蒸気タービンシステム３００の段（この図で段が隠れて見えない）の間で軸方向（ページに向かってＡ軸線）に位置付けることができ、一実施形態では、アパーチャ３９０は、例えば、カバープレート、プラグ、又は他の取り外し可能シールを介して半径方向外向き面４４から実質的にシールすることができる。別の実施形態では、１つ又はそれ以上のアパーチャ３９０は、タービンノズル３７０を通じて、及び／又はノズル側壁を通じて延びて、これにより蒸気流路と交差することができる。一実施形態では、アパーチャ３９０は、蒸気タービンシステム３００の下死点位置又は下死点から僅かに離れた位置に配置することができる。他の実施形態では、アパーチャ３９０は、ケーシング及びダイアフラムの水平ジョイント面（１６、２４）に近接して配置することができる。更に、複数のアパーチャ３９０（例えば、蒸気タービンシステム３００の周囲付近にほぼ等間隔で４つ）を蒸気タービンシステム３００内に形成し、半径方向外向き面４４の外部の箇所からロータ３８０にアクセス可能にすることができる。一実施形態では、アパーチャ３９０は、ケーシング、ダイアフラム、及び／又はロータの一部間の距離を算出するためにプローブ又は他の測定部材を受けるよう構成することができる。アパーチャ３９０は、タービンノズル３７０（仮想線で示される）と物理的に干渉しないように蒸気タービンシステム３００の段間に位置付けられる点は理解される。代替の実施形態では、１つ又はそれ以上の線形可変差動変圧器（ＬＶＤＴ）３９２は、ロータ３８０とダイアフラムリング１２との間（例えば、ダイアフラムリング１２内のタービンノズル３７０）に載置され、ダイアフラムリング１２及びロータ３８０の位置決め及び移動に関するデータを収集及び送信することができる。ＬＶＤＴ３９２は、当該技術分野で知られるように、取り付けられる要素の物理的移動を電気信号に変換するよう構成された何らかの従来の線形可変差動変圧器とすることができる。ＬＶＤＴ３９２は、受信システム（例えば、従来の受信機又は他のコンピュータシステム）に有線接続することができ、或いは、受信システムに無線接続することができる。何れの場合においても、ＬＶＤＴ３９２は、ダイアフラムリング１２及びロータ３８０の位置及び／又は移動を求めるよう構成することができる。他の実施形態では、ＬＶＤＴ３９２の代わりに、従来の圧電ベースの装置を用いて、ダイアフラムリング１２及びロータ３８０の位置及び／又は移動を求めることができる。幾つかの実施形態では、これらの装置（例えば、ＬＶＤＴ３９２、圧電ベースの装置、又はキャパシタンス装置）は、蒸気タービンシステム３００の初期静止状態を耐え抜くだけでよい。すなわち、幾つかの実施形態では、これらのタイプの装置の１つ又はそれ以上は、蒸気タービンシステム３００が作動し始めた後の位置又は移動関連データを収集及び／又は送信するのにはあまり効果的ではない。
【００２４】
従来の蒸気タービンシステムとは異なり、蒸気タービンシステム３００は、システムの周囲に沿った１つ又はそれ以上の位置におけるロータ、ダイアフラム、及び／又はケーシング間の位置関係を求めることを可能にすることができる。具体的には、蒸気タービンシステム３００は、システムが閉鎖されている間（例えば、ケーシングセグメント２０、２２、ダイアフラムセグメント１２、１４、及びロータ３８０が所定位置にある場合）、構成要素の位置関係の測定値を提供することができる。本システム３００は、測定値を得るために少なくとも一部の構成要素（例えば、ケーシング、ダイアフラム、及び／又はロータ）の取り外しを必要としていた従来のシステムに関連する時間及びコストを低減することができる。
【００２５】
本明細書で使用される用語は、特定の実施形態を説明するためのものに過ぎず、本発明を限定するものではない。本明細書で使用される単数形態は、前後関係から明らかに別の意味を示さない限り、複数形態も含む。更に、本明細書内で使用する場合に、「含む」及び／又は「備える」という用語は、そこに述べた特徴部、完全体、ステップ、動作、要素及び／又は構成部品の存在を明示しているが、１つ又はそれ以上の特徴部、完全体、ステップ、動作、要素、構成部品及び／又はそれらの群の存在又は付加を排除するものではないことは理解されるであろう。
【００２６】
本明細書は、最良の形態を含む実施例を用いて本発明を開示し、更に、あらゆる当業者があらゆるデバイス又はシステムを実施及び利用すること並びにあらゆる包含の方法を実施することを含む本発明を実施することを可能にする。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【符号の説明】
【００２７】
１０  蒸気タービン装置
１２  上側ダイアフラムセグメント
１４  下側ダイアフラムセグメント
１６  ダイアフラム水平ジョイント面
１８  ボルト
２０  上側ケーシングセグメント
２２  下側ケーシングセグメント
２４  ケーシング水平ジョイント面
２６  支持アーム
２８  支持アーム
３０  スロット
３２  張り出し部
３４  支持バー
３６  ポケット
３８  第１の開口
４０  第２の開口
４２  ポート
４４  半径方向外向き壁
４６  経路
４８  アクセスプレート
５０  調整部材
５２  支持部材
５４  保持部材
１１０  蒸気タービン装置
１２２  下側ケーシングセグメント
１２８  支持アーム
１３６  ポケット
１５２  支持部材
１５４  保持部
２５４  保持ブロック
３００  蒸気タービンシステム
３６０  内側ウェブ
３７０  ノズル
３８０  ロータ
３９０  アパーチャ
３９２  線形可変差動変圧器
【図１】
0005993131.tif 000002
【図２】
0005993131.tif 000003
【図３】
0005993131.tif 000004
【図４】
0005993131.tif 000005
【図５】
0005993131.tif 000006
【図６】
0005993131.tif 000007